(57)【要約】注入装置のトリガが解放されると、主のばね４が伸長し、部材７を前方に移動させる。これにより、弱いばね１１は圧縮されるが、ばね５は十分な強度を有するので伸長状態を維持する。従って注射器２はカラー９を介して前方に押し込まれ、針３がバレル１から突出する。ばね４は、注射器がその前方位置に達してばね１１が十分に圧縮された後も伸長を続け、それにより部材７のステム８は注射器２内のピストン１４に作用し、ばね５が圧縮されている間内容物を放出する。ばね５により、この状態で注射器は前方位置に確実に保持される。
2005518877.tif 000002
【特許請求の範囲】
【請求項１】
逐次的に解放可能なばね式駆動部を備えたハウジングを有し、前記ばね式駆動部は、先ず前記ハウジング内に注射器を前進させて前記注射器の針を前記ハウジングの前端から突出させ、次に前記注射器内のピストンを前方に押して前記針を通して内容物を放出する、注入装置であって、前記ばね式駆動部は、前記ピストンと協働するように整合配置されたプランジャと前記ハウジングとの間で作用する第１ばねと、前記プランジャと前記注射器との間で作用する第２ばねとを有し、前記第２ばねは、前記第１ばねよりは弱いが、前記針が患者の肉体を貫通する前方位置に前記注射器が達したときに、伸長状態を維持できる程度に十分な強度を有し、前記第１ばねは、十分に伸長したときに、前記第２ばねを圧縮して前記プランジャを前方に付勢し、それにより前記ピストンを移動させて前記注射器内の内容物を放出し、一方前記第２ばねは、前記注射器を前記前方位置に保持するように作用する、注入装置。
【請求項２】
前記プランジャは、軸方向に適度に摺動可能なカラーを有し、前記第２ばねは前記カラーの後部に当接し、前記カラーの前部は前記注射器と協働する、請求項１に記載の注入装置。
【請求項３】
前記注射器を後方に付勢する弱い第３ばねを有し、それにより前記針は使用前は前記ハウジング内に引込まれる、請求項１又は２に記載の注入装置。
【請求項４】
前記第３ばねは、前記注射器を取囲み、前記注射器の後部フランジと前記ハウジングの内側の肩との間で作用する、請求項３に記載の注入装置。
【請求項５】
添付図面を参照して本願明細書に実質的に説明された注入装置。
【請求項６】
本願明細書に記載され、及び／又は添付図面に示された注入装置の特徴の新規な全ての組み合わせ。
【発明の詳細な説明】
【技術分野】
【０００１】
本発明は、注入装置に関する。本発明は、先ず針が突き出るように注射器を前方に押し込み、次に注射器内のピストンに作用して内容物を押し出す点火機構内に注射器が装填される医療用装置に関する。
【背景技術】
【０００２】
注射器のピストンに直結されたプランジャに、解放されたときに作用する１つの駆動ばねを使用することは公知である。内容物が非圧縮性であること及び針孔が微細であることは、注射器がピストンに作用する力によって前方に押し込まれることを意味する。しかし一旦針が突き出されると、駆動ばねが針を通して内容物を排出するように作用し続ける間は、注射器は拘束される。注射器とハウジングとの間で作用するとともに、注射器が前方に移動したときに圧縮される戻りばねを使用する場合もある。
【発明の開示】
【発明が解決しようとする課題】
【０００３】
いくつかの注射器は、貫通のためにかなりの力を必要とする大きな針を有する。また内容物の排出を容易にする、注射器用の低摩擦の栓又はピストンが開発されている。大きな針及び低摩擦ピストンの組み合わせ、さらに上述の１つの駆動ばねの技術によれば、ピストンは、針が十分に貫通する前に、注射器内に向けて前方に移動を開始する。従って内容物は、針の先端がまだ肉体内を移動している間に吐出され、よって適切な深さにおいて放出される内容物の量は、意図した量の全てとはならない。
【０００４】
従って、この「事前漏れ（プレドリップ）」を可能な限り排除することが望まれ、このことが後述する本提案の目的である。
【課題を解決するための手段】
【０００５】
本発明によれば、逐次的に解放可能なばね式駆動部を備えたハウジングを有し、前記ばね式駆動部は、先ず前記ハウジング内に注射器を前進させて前記注射器の針を前記ハウジングの前端から突出させ、次に前記注射器内のピストンを前方に押して前記針を通して内容物を放出する、注入装置であって、前記ばね式駆動部は、前記ピストンと協働するように整合配置されたプランジャと前記ハウジングとの間で作用する第１ばねと、前記プランジャと前記注射器との間で作用する第２ばねとを有し、前記第２ばねは、前記第１ばねよりは弱いが、前記針が患者の肉体を貫通する前方位置に前記注射器が達したときに、伸長状態を維持できる程度に十分な強度を有し、前記第１ばねは、十分に伸長したときに、前記第２ばねを圧縮して前記プランジャを前方に付勢し、それにより前記ピストンを移動させて前記注射器内の内容物を放出し、一方前記第２ばねは、前記注射器を前記前方位置に保持するように作用する、注入装置が提供される。
【０００６】
従ってピストンには、針の貫通が完了するまで作用が及ばない。
【０００７】
第２ばねが注射器に直接作用することはない。代わりに、プランジャは、軸方向に適度に摺動可能なカラーを有することができ、第２ばねはこのカラーの後部に当接し、一方カラーの前部は注射器と協働する。
【０００８】
初めに注射器を適所に維持するために、注射器を後方に付勢する弱い第３ばねを設けることができ、それにより、針を使用前はハウジング内に引込ませておくことができる。このばねは好都合に、注射器を取囲み、注射器の後部フランジとハウジングの内側の肩との間で作用する。このばねは注入操作中は圧縮されるが、第１及び第２ばねの作用に影響するほど強くなく、また使用後の注射器を引込ませるほど強くもない。
【０００９】
本発明をよりよく理解するために、添付図面を参照しつつ１つの実施形態を例示として説明する。
【発明を実施するための最良の形態】
【００１０】
注入装置はバレル１を有し、バレル１はその前方端部に注射器２を収容することができる。注射器は、バレル内を軸方向に、注射器の針３が引込まれた位置と針３が所定距離突き出た位置との間を移動可能である。
【００１１】
注射器を前方に移動させる装置は、先ず注射器本体を移動させ、次に内容物を排出するために注射器のピストンを前方に移動させるものであり、縦に並んだ２つのばね４及び５から構成される。後方のばね４は、ばね５よりも強く、バレルの後端とマッシュルーム形状の部材７のヘッド６との間で作用する。部材７のステム８は、前方に延びて注射器２の後端に入ることができる。ステム８が貫通する第２のばね５は、ヘッド６とカラー９との間で作用する。カラー９はステムに沿って摺動可能であるが、前方への移動は座金１０によって制限される。さらに軽いばね１１は、注射器の後部フランジ１２に対して後ろ向きに作用し、注射器本体を取囲んで、バレル１の内側の肩１３に反作用する。駆動ばね４のためのリリーストリガは、単純化のため図示しない。
【００１２】
初めは、注射器は引込まれており、主のばね４は圧縮状態に保持される。僅かに離れて図示されているカラー９及び注射器のフランジ１２は互いに近接するが、注射器を適所に保持するばね５とばね１１との間はバランスが保たれている。
【００１３】
トリガが解放されて装置が点火されると、主のばね４が伸長し、部材７を前方に動かす。ばね５が伸長状態を維持できる程度にばね５は十分強くかつばね１１は十分弱いので、ばね５はカラー９を介して注射器２を前方に押し込み、それにより針３はバレル１から突出する。ばね４は、注射器がその前方位置に達してばね１１が十分に圧縮された後も伸長を続ける。それにより部材７のステム８は、注射器２内でピストンとして作用する栓１４に作用し、ばね５が圧縮されている間内容物が放出される。ばね５により、この状態で注射器は前方位置に確実に保持される。
【００１４】
ばね４が伸長し終えたら注入は完了し、針３が突出したまま装置が患者から引き抜かれる。
【図面の簡単な説明】
【００１５】
【図１】注入装置の概略の軸方向断面図である。
【図１】
2005518877.tif 000003
【国際調査報告】
2005518877.tif 000004
2005518877.tif 000005
2005518877.tif 000006